(57)【要約】【課題】複数の設定項目の設定情報を記憶可能な電子カメラにおいて、使い勝手の良い電子カメラを提供する。【解決手段】本発明の電子カメラ１０は、複数の設定項目のうちの第１の設定項目群の第１設定情報３１０Ａと、第２の設定項目群の第２設定情報３１１Ａと、をそれぞれ記憶可能な複数の個別記憶領域３１Ａと、そのうちのいずれか一つの個別記憶領域を選択可能な選択部２２と、選択された個別記憶領域に記憶された第１設定情報３１０Ａを、カメラ１０における第１の設定項目群の設定項目の設定４０とする第１設定制御を行う設定制御部２１と、を備え、設定制御部２１は、第１設定制御を行う際に、選択された個別記憶部に記憶された第２設定情報３１１Ａを、電子カメラ１０における第２の設定項目群の設定項目の設定５０とする第２設定制御も可能で、第２設定制御を行うか否かを切換可能な切換部２３を更に備えることを特徴とする。【選択図】図２
2011082827.tif 000002
【特許請求の範囲】
【請求項１】
電子カメラにおける複数の設定項目のうちの、第１の設定項目群の設定項目に関する第１設定情報と、前記複数の設定項目のうちの、前記第１の設定項目群と異なる第２の設定項目群の設定項目に関する第２設定情報と、をそれぞれ記憶可能な複数の個別記憶領域と、
前記複数の個別記憶領域のうちのいずれか一つの個別記憶領域を選択可能な選択部と、
選択された個別記憶領域に記憶された前記第１設定情報を、前記電子カメラにおける前記第１の設定項目群の設定項目の設定とする第１設定制御を行う設定制御部と、を備え、
該設定制御部は、前記第１設定制御を行う際に、前記選択された個別記憶部に記憶された前記第２設定情報を、前記電子カメラにおける前記第２の設定項目群の設定項目の設定とする第２設定制御も可能で、
該第２設定制御を行うか否かを切換可能な切換部を更に備えること、
を備えること特徴とする電子カメラ。
【請求項２】
請求項１に記載の電子カメラであって、
前記第１の設定項目群に含まれる設定項目は、画像処理時のパラメータに関する設定項目であること、
を特徴とする電子カメラ。
【請求項３】
請求項１または２に記載の電子カメラであって、
前記第２の設定項目群に含まれる設定項目は、露出に関する設定項目であること、
を特徴とする電子カメラ。
【請求項４】
請求項１または２に記載の電子カメラであって、
前記第２の設定項目群に含まれる設定項目は、フォーカスに関する設定項目であること、
を特徴とする電子カメラ。
【請求項５】
請求項１から４のいずれか１項に記載の電子カメラであって、
前記第２の設定項目群の設定項目に関する共通第２設定情報が記憶された、前記複数の個別記憶領域とは異なる共通記憶領域を更に備え、
前記設定制御部は、
前記複数の個別記憶領域からいずれか一つの個別記憶領域が選択され、かつ前記第２設定制御が行なわれない場合に、
前記共通第２設定情報を、前記第２の設定項目群の設定項目の設定とすること、を特徴とする電子カメラ。
【請求項６】
請求項５に記載の電子カメラであって、
前記設定制御部は、
前記複数の個別記憶領域からいずれか一つの個別記憶領域が選択され、前記第２設定制御が行われる場合に、
選択された個別記憶領域の前記第２設定情報を前記共通第２設定情報で置き換え、該共通第２設定情報を前記第２の設定項目群の設定項目の設定とすること、
を特徴とする電子カメラ。
【請求項７】
請求項５または６に記載の電子カメラであって、
前記設定制御部は、
前記第２設定制御を行っている状態から行わない状態に切り替える場合に、前記第２の設定項目群の設定項目の設定を前記第２設定情報及び前記共通第２設定情報とすること、
を特徴とする電子カメラ。
【発明の詳細な説明】
【技術分野】
【０００１】
本発明は、複数の設定項目の設定情報を記憶可能な電子カメラに関するものである。
【背景技術】
【０００２】
従来、動作または処理に関する複数の設定項目の設定情報を記憶可能な機能を有する電子カメラがある（例えば、特許文献１参照）。具体的には、特定の撮影条件、例えばＩＳＯ感度設定、ホワイトバランス、画質モード等の設定項目の設定項目群を、複数記憶しておくことが可能となっている。そして、撮影状態に応じて、適切な設定項目の設定項目群を呼び出すことが可能となっている。
【先行技術文献】
【特許文献】
【０００３】
【特許文献１】特開２００９−３３３９８号公報
【発明の概要】
【発明が解決しようとする課題】
【０００４】
しかし、従来のカメラは、設定項目が限定されているため、使用者によっては他の項目の設定を望む場合がある。また、設定可能となっている項目のうちの一部だけを呼び出したい場合もある。
【０００５】
本発明の課題は、複数の設定項目の設定情報を記憶可能な電子カメラにおいて、使い勝手の良い電子カメラを提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、電子カメラ（１０）における複数の設定項目のうちの、第１の設定項目群の設定項目に関する第１設定情報（３１０Ａ，３１０Ｂ，３１０Ｃ，３１０Ｄ）と、前記複数の設定項目のうちの、前記第１の設定項目群と異なる第２の設定項目群の設定項目に関する第２設定情報（３１１Ａ，３１１Ｂ，３１１Ｃ，３１１Ｄ）と、をそれぞれ記憶可能な複数の個別記憶領域（３１Ａ，３１Ｂ，３１Ｃ，３１Ｄ）と、前記複数の個別記憶領域（３１Ａ，３１Ｂ，３１Ｃ，３１Ｄ）のうちのいずれか一つの個別記憶領域（例えば３１Ａ）を選択可能な選択部（２２）と、選択された個別記憶領域（例えば３１Ａ）に記憶された前記第１設定情報（３１０Ａ）を、前記電子カメラ（１０）における前記第１の設定項目群の設定項目の設定（４０）とする第１設定制御を行う設定制御部（２１）と、を備え、該設定制御部（２１）は、前記第１設定制御を行う際に、前記選択された個別記憶部（例えば３１Ａ）に記憶された前記第２設定情報（３１１Ａ）を、前記電子カメラ（１０）における前記第２の設定項目群の設定項目の設定（５０）とする第２設定制御も可能で、該第２設定制御を行うか否かを切換可能な切換部（２３）を更に備えること、を備えること特徴とする電子カメラ（１０）である。
請求項２に記載の発明は、請求項１に記載の電子カメラ（１０）であって、前記第１の設定項目群に含まれる設定項目は、画像処理時のパラメータに関する設定項目であること、を特徴とする電子カメラ（１０）である。
請求項３に記載の発明は、請求項１または２に記載の電子カメラ（１０）であって、前記第２の設定項目群に含まれる設定項目は、露出に関する設定項目であること、を特徴とする電子カメラ（１０）である。
請求項４に記載の発明は、請求項１または２に記載の電子カメラ（１０）であって、前記第２の設定項目群に含まれる設定項目は、フォーカスに関する設定項目であること、を特徴とする電子カメラ（１０）である。
請求項５に記載の発明は、請求項１から４のいずれか１項に記載の電子カメラ（１０）であって、前記第２の設定項目群の設定項目に関する共通第２設定情報（３２１）が記憶された、前記複数の個別記憶領域（３１Ａ，３１Ｂ，３１Ｃ，３１Ｄ）とは異なる共通記憶領域（３２）を更に備え、前記設定制御部（２１）は、前記複数の個別記憶領域（３１Ａ，３１Ｂ，３１Ｃ，３１Ｄ）からいずれか一つの個別記憶領域（例えば３１Ａ）が選択され、かつ前記第２設定制御が行なわれない場合に、前記共通第２設定情報（３２１）を、前記第２の設定項目群の設定項目の設定（５０）とすること、を特徴とする電子カメラ（１０）である。
請求項６に記載の発明は、請求項５に記載の電子カメラ（１０）であって、前記設定制御部（２１）は、前記複数の個別記憶領域（３１Ａ，３１Ｂ，３１Ｃ，３１Ｄ）からいずれか一つの個別記憶領域（例えば３１Ａ）が選択され、前記第２設定制御が行われる場合に、選択された個別記憶領域（例えば３１Ａ）の前記第２設定情報（３１１Ａ）を前記共通第２設定情報（３２１）で置き換え、該共通第２設定情報（３２１）を前記第２の設定項目群の設定項目の設定（５０）とすること、を特徴とする電子カメラ（１０）である。
請求項７に記載の発明は、請求項５または６に記載の電子カメラ（１０）であって、前記設定制御部（２１）は、前記第２設定制御を行っている状態から行わない状態に切り替える場合に、前記第２の設定項目群の設定項目の設定（５０）を前記第２設定情報（３１１）及び前記共通第２設定情報（３２１）とすること、
を特徴とする電子カメラ（１０）である。
なお、符号を付して説明した構成は、適宜改良してもよく、また、少なくとも一部を他の構成物に代替してもよい。
【発明の効果】
【０００８】
本発明によれば、複数の設定項目の設定情報を記憶可能な電子カメラにおいて、使い勝手の良い電子カメラを提供することができる。
【図面の簡単な説明】
【０００９】
【図１】本発明の実施形態を適用した電子カメラを背面から見た外観図である。
【図２】電子カメラのブロック構成図である。
【図３】表示部における撮影メニュー画面の概念図である。
【図４】表示部における撮影メニュー切り換え設定画面の概念図である。
【図５】表示部における拡張撮影メニュー設定画面の概念図である。
【図６】設定記憶部を説明するブロック図である。
【図７】拡張項目が適用されていない状態における作用説明図である。
【図８】撮影メニューが切り換えられた状態における作用説明図である。
【図９】拡張項目が適用化された状態における作用説明図である。
【図１０】第２実施形態における拡張項目をＯＦＦからＯＮに切り換えた際の作用説明図である。
【図１１】第２実施形態における拡張項目をＯＮからＯＦＦに切り換えた際の作用説明図である。
【発明を実施するための形態】
【００１０】
（第１実施形態）
以下、図面等を参照して、本発明の第１実施形態について説明する。
図１は、本発明の実施形態を適用した電子カメラ１０を背面から見た外観図である。図２は、電子カメラ１０のブロック構成図である。図１および図２に示すように、電子カメラ１０は、撮像部１１と、操作部１２と、表示部１３と、画像処理部１４と、画像記録部１５と、を備えている。また、電子カメラ１０は、当該電子カメラ１０を統括制御する制御部２０と、設定記憶部３０と、を備えている。
【００１１】
撮像部１１は、図示しないレンズや絞り等の撮像光学系および撮像素子を含む。撮像部１１は、レンズによって撮像素子に結像した被写体像を、撮像素子が電気信号（撮像データ）に変換して画像処理部に出力する。なお、この撮像部１１における撮像光学系は、カメラ本体と別体に構成されてカメラ本体に対して着脱可能となっている。
【００１２】
操作部１２は、図示しない電源ボタンおよびシャッターボタンと、十字キー１２Ａ、メニューボタン１２Ｂ、ＯＫボタン１２Ｃならびにその他の複数の操作ボタンを含む。操作部１２は、使用者によって操作され、その操作情報を制御部２０に出力する。また、後述する表示部１３の背面パネル１３Ａに表示される操作画面を十字キー１２Ａ等によって操作して機能設定できるようになっている。操作画面は、後述する制御部２０が記録するプログラムによって複数の機能に対応して複数用意されており、メニュー画面から操作画面を切り換えて操作するようになっている。これにより、限られた数の操作ボタン類によって多くの機能設定が可能となっている。
【００１３】
表示部１３は、電子カメラ１０の背面に設けられた背面パネル１３Ａ及び電子カメラ１０の上面に設けられた上面パネル１３Ｂを備えている。そして、表示部１３は、後述する制御部２０によって制御され、シャッター速度，絞りおよび露光補正情報等の使用者が操作部１２を介して入力した撮影に係る設定情報を上面パネル１３Ｂに表示する。また、背面パネル１３Ａは、撮影画像や操作部１２の機能を設定する設定画面を表示する。
【００１４】
画像処理部１４は、撮像部１１から入力される撮像データに対して、各種のデジタル信号処理を行って画像情報を生成する。
画像記録部１５は、着脱可能なリムーバブルメモリ等の記録媒体１５Ａを備えて構成されている。そして、画像記録部１５は、画像処理部１４によって処理された撮影画像を記録媒体１５Ａに記録する。
【００１５】
制御部２０は、マイクロコンピュータ等によって構成されている。そして、制御部２０は、操作部１２から入力されるシャッターボタンの押圧等の操作情報、および後述する設定記憶部に記憶保持された設定情報に基づいて、当該電子カメラ１０の各部を統合的に制御する。また、制御部２０は、表示部１３を制御して撮影画像や種々の情報および各種設定の際に用いられる設定メニュー等を背面パネル１３Ａ等に表示させる。制御部２０は、これらの各処理を実行するためのプログラムを予め記録している。制御部２０は、図２に示すように、設定制御部２１と、メニュー選択部２２と、拡張切換部２３と、を備えている。
【００１６】
設定記憶部３０は、不揮発性のメモリによって構成され、撮影に関する各種設定および情報を記憶保持する。本実施形態では、設定記憶部３０は、表示部１３の設定メニュー画面を介して入力された複数の撮影メニューＡ，Ｂ，Ｃ，Ｄにおける各設定項目の設定情報を記憶する個別記憶領域３１、共通の露出情報を記憶する共通記憶領域３２をする。
【００１７】
上記構成の電子カメラ１０において撮像部１１は、撮像素子に結像した被写体像を電気信号に変換し、制御部２０を介して画像処理部１４に出力し、この電気信号から画像処理部１４は画像データを形成し、画像記録部１５に記録する。表示部１３は、前述したように、種々の設定情報，撮影情報，撮影画像および設定操作画面等を表示する。
【００１８】
つぎに、第１実施形態における、制御部２０における設定制御部２１、メニュー選択部２２および拡張切換部２３の各制御機能等について説明する。
設定記憶部３０は、複数の撮影メニューＡ，Ｂ，Ｃ，Ｄにおける個別設定情報と、後述する共通拡張項目設定情報と、をそれぞれ独立した領域に保持するようになっている。撮影の際に設定制御部２１は、設定記憶部３０に記憶されたこれらの情報を電子カメラ１０の設定として撮影を行う。
【００１９】
図３は、表示部１３における撮影メニュー画面Ｘの概念図である。設定記憶部３０が保持する複数の撮影メニューＡ，Ｂ，Ｃ，Ｄには、図３に示す撮影に係る各種項目の設定がそれぞれ記憶されており、撮影時にはその撮影メニューＡ，Ｂ，Ｃ，Ｄの何れかの設定が適用される（図３においては撮影メニューＡが適用されている例を示す）。撮影メニューの選択は、操作部１２の操作に基づいてメニュー選択部２２が行う。工場出荷時における初期設定は撮影メニューＡとなっており、撮影メニューの選択（切り換え）操作を行わずに当該電子カメラ１０を使用した場合には、撮影メニューＡが適用される。
なお、初期設定では、撮影メニューＡ，Ｂ，Ｃ，Ｄにおける各項目は、予め同一の標準的な値に設定されている。
【００２０】
撮影メニューＡ，Ｂ，Ｃ，Ｄの選択（切り換え）は、操作部１２を操作して、表示部１３に図３に示すような操作画面を表示させて行う。
すなわち、操作部１２のメニューボタン１２Ｂを押圧操作して、表示部１３の背面パネル１３Ａに図３に示す撮影メニュー画面Ｘを表示する。撮影メニュー画面Ｘには、図３中に示すように、「撮影メニューの切り換え」、「撮影メニューのリセット」、「拡張撮影メニューの設定」の他、撮影メニューにおいて設定される標準項目がスクロールメニュー形式で表示される。
【００２１】
図４は、表示部１３における撮影メニュー切り換え設定画面Ｙの概念図である。操作部１２の十字キー１２Ａ等を操作して図３の撮影メニュー画面Ｘにおいて「撮影メニューの切り換え」を選択して決定すると、撮影メニュー切り換え設定画面Ｙが表示される。撮影メニュー切り換え設定画面Ｙには、撮影メニューの一覧（すなわち、Ａ，Ｂ，Ｃ，Ｄ）が表示され、その時点で選択されている撮影メニューＡがブライト表示されている。これを、十字キー１２Ａ等の操作によって任意の撮影メニュー表示を選択（ブライト表示）する。その後、ＯＫボタン１２Ｃの押圧または他の操作ボタンを操作することで、撮影メニューの切り換え操作が終了して新たな撮影メニューを適用した撮影待機状態となる。
【００２２】
図５は、表示部１３における拡張撮影メニュー設定画面Ｚの概念図である。図６は、設定記憶部３０を説明するブロック図である。各撮影メニューＡ，Ｂ，Ｃ，Ｄは、図６に示すように、それぞれ標準項目設定情報３１０Ａ，３１０Ｂ，３１０Ｃ，３１０Ｄ（以下、まとめて３１０という）と拡張項目設定情報３１１Ａ，３１１Ｂ，３１１Ｃ，３１１Ｄ（以下、まとめて３１１という））との２種類の情報を記憶している。
標準項目設定情報３１０は、本実施形態では主に画像処理に係る設定項目であって、図３に示すように、画質モード、ホワイトバランス、色空間、感度の設定等の、本実施形態においては全１５項目である。
拡張項目設定情報３１１は、図３に示す標準項目設定情報３１０の一項目である拡張撮影メニューの下位に位置している。拡張項目設定情報３１１は、本実施形態では露出情報であって、露出モード、シャッター速度、絞り値等である。これらの項目は、後述する共通拡張項目設定情報３２１と同じであり、露出モードとは、ＥＶ値に対するシャッター速度と絞り値の組み合わせのモードであって、シャッター速度優先自動撮影モード、絞り優先自動撮影モード、プログラムモード、そしてシャッター速度と絞り値とを手動にて設定するマニュアルモード等がある。
【００２３】
拡張項目設定情報３１１は、その適用のＯＮ／ＯＦＦが可能となっており、初期設定では、ＯＦＦになっている。つまり、初期設定では、選択された撮影メニューにおける標準項目設定情報３１０のみが適用され、拡張項目設定情報３１１は適用されないようになっている。
【００２４】
拡張項目設定情報３１１のＯＮ／ＯＦＦ操作は、前述した「撮影メニューの切り換え」操作と同様に、表示部１３の背面パネル１３Ａに図３に示す撮影メニュー画面Ｘを表示させた後、「拡張撮影メニューの設定」を選択する。これにより、図５に示す拡張撮影メニュー切り換え画面Ｚが表示される。拡張撮影メニュー切り換え画面Ｚには、その時点で選択されている「する／しない」表示の何れかがブライト表示されている。これを、操作部１２の操作によって「する／しない」の任意の表示を選択する。その後、ＯＫボタン１２Ｃを押圧操作することで、制御部２０の拡張切換部２３により拡張撮影メニューのＯＮ／ＯＦＦが設定される。
【００２５】
また、設定記憶部３０が保持する共通拡張項目設定情報３２１は、上述の拡張項目設定情報３１１と同様で露出モード、シャッター速度、絞り値等である。
【００２６】
つぎに、図７〜図９を参照して、メニュー選択部２２および拡張切換部２３の作用について説明する。なお、図７〜図９中における、共通拡張項目設定情報３２１および拡張項目設定情報３１１の表示は、露出モード、シャッター速度及び絞り値を、それぞれ順番に示している。露出モードは、「Ｓ」がシャッター速度優先オートモード、「Ａ」が絞り優先オートモード、「Ｐ」がプログラムオートモード、「Ｍ」がマニュアルモードである。また、「＊」は、電子カメラによって自動設定されるために不定であることを示している。
【００２７】
図７は、撮影メニューＡにおいて拡張項目設定情報３１１が適用されていない（拡張切換部２３がＯＦＦ）状態における作用説明図である。図８は、撮影メニューＡから撮影メニューＢに切り換えられた状態における作用説明図である。図９は、撮影メニューにおける拡張項目設定情報３１１が適用化された（拡張切換部２３がＯＮ）状態における作用説明図である。
【００２８】
図７に示すように、拡張切換部がＯＦＦになっている場合（以下、これを標準モードと称する）には、設定制御部２１は、電子カメラ１０の標準項目設定値４０を、設定された撮影メニュー（図７においては撮影メニューＡが設定されている）の標準項目設定情報３１０に記憶された値（設定された撮影メニューＡに対応した３１０Ａ）にし、拡張項目設定値５０を、共通拡張項目設定情報３２１に記憶された値に設定する。
【００２９】
そして、撮影に際して操作部１２を操作して設定変更した内容（標準項目設定値４０，拡張項目設定値５０）は、選択されている撮影メニュー（図７において撮影メニューＡ）における標準項目設定情報３１０（３１０Ａ）の設定に反映（更新設定）される。つまり、直近の設定内容（標準項目設定値４０，拡張項目設定値５０）がその撮影メニューにおける各項目の設定内容となる。従って、当該電子カメラ１０の使用を終了して再開する際には、使用終了時点における設定で立ち上がる。
【００３０】
拡張切換部がＯＦＦになっている状態（以下、標準モードと称する）では、露出設定は、共通拡張項目設定情報３２１の設定（図７においてＡ・＊・Ｆ４）が適用されて拡張項目設定情報３１１（Ｍ・１／１２５・Ｆ２．８）の設定は適用されないため、撮影メニューを切り換えても変わらない。つまり、使用途中でたとえば撮影メニューＡから撮影メニューＢに切り換えると、図８に示すように、標準項目設定４０は標準項目設定情報３１０Ａから標準項目設定情報３１０Ｂの情報に切り換わるが、露出設定は共通拡張項目設定情報３２１の設定（Ａ・＊・Ｆ４）がそのまま継続適用される。
【００３１】
一方、拡張切換部２３によって拡張項目設定情報３１１が適用されている場合（以下、これを拡張モードと称する）には、電子カメラ１０の標準項目設定値４０，拡張項目設定値５０は、図９に示すように、設定された撮影メニューＡの標準項目設定情報３１０Ａに設定された情報と、当該撮影メニューＡの拡張項目設定情報３１１Ａに設定された露出設定（Ｍ・１／２５０・Ｆ２．８）と、に基づく設定となる。共通拡張項目設定情報３２１の設定（Ａ・＊・Ｆ４）は適用されない。
【００３２】
このため、拡張モードでは、撮影途中で、たとえば撮影メニューＡから撮影メニューＢに切り換わると、標準項目設定情報３１０と拡張項目設定情報３１１とが共に撮影メニューＢの設定に切り替わる。つまり、撮影メニューＢにおける拡張項目設定情報３１１の露出設定（Ｘ・１／２５０・Ｆ５．６）が新たに適用されることとなり、露出設定は変化する。
この拡張モードにおいても、撮影に際して操作部１２を操作して設定した内容は、露出設定を含めて選択されている撮影メニューにおける各項目に反映（更新設定）される。
【００３３】
上記のような構成では、予め所定項目に設定を行った複数の撮影メニューＡ，Ｂ，Ｃ，Ｄの中から任意の撮影メニューを選択することが可能であると共に、当該撮影メニューに設定されている情報が標準項目設定情報３１０と拡張項目設定情報３１１との二段階に構成されている。拡張項目設定情報３１１には露出情報が設定されており、撮影メニューが想定する撮影状況に応じた露出設定としておくことで、撮影メニューの切り換えに伴って露出設定も同時に切り換えることができる。これにより、露出設定の変更操作を要することなく迅速な撮影が可能となる。拡張項目設定情報３１１の適用はＯＮ／ＯＦＦが可能であり、露出設定の切り換えが不要な場合にはＯＦＦとしておくことができる。
【００３４】
（第２実施形態）
つぎに、図１０および図１１を参照して、メニュー選択部２２および拡張切換部２３の作用の第２実施形態について説明する。
図１０は、第２実施形態における撮影メニューＡの拡張項目設定情報３１１Ａが適用されない状態（拡張切換部２３がＯＦＦ）から適用される状態（ＯＮ）に切り換えた際の作用説明図である。図１１は、第２実施形態における撮影メニューＡの拡張項目設定情報３１１Ａが適用される状態（拡張切換部２３がＯＮ）から適用されない状態（ＯＦＦ）に切り換えた際の作用説明図である。
第２実施形態は、前述した第１実施形態と基本的な構成は同様であり、撮影メニューの切り換え時における露出設定の取り扱いのみが異なる。このため、図中、第１実施形態と同機能の要素には同符号を付してある。
【００３５】
第２実施形態では、使用途中において標準モードと拡張モードとを切り換えた場合、それまで適用していた露出設定（共通拡張項目設定情報３２１）を継続する。
すなわち、拡張項目設定情報３１１が適用化されていない標準モードにおいては、たとえば、撮影メニューＡの拡張項目設定情報３１１の露出設定（Ｍ・１／２５０・Ｆ２．８）は適用されず、共通拡張項目設定情報３２１の設定（Ａ・＊・Ｆ４）が適用される。このような状態から、拡張切換部２３によって拡張モードに切り換えられる（ＯＦＦ→ＯＮ）と、図１０に示すように、それまで適用されていた共通拡張項目設定情報３２１の露出設定（Ａ・＊・Ｆ４）が、撮影メニューＡの拡張項目設定情報３１１に更新設定されてそのまま適用される。つまり、標準モードから拡張モードに切り換えても露出設定（Ａ・＊・Ｆ４）は継続される。
【００３６】
逆に、拡張モードから標準モードに切り換えた場合には、図１１に示すように、それまで適用されていた撮影メニューＡにおける拡張項目設定情報３１１の露出設定（Ｍ・１／２５０・Ｆ２．８）が、共通拡張項目設定情報３２１に更新設定されて継続される。
なお、拡張項目設定情報３１１が適用化された拡張モードにおいて撮影メニューを切り換えた場合には、拡張項目設定情報３１１の設定は更新されることなく切り換えられた撮影メニューにおける拡張項目設定情報３１１の設定が適用される。たとえば、図１０において撮影メニューＡから撮影メニューＤに切り換えると、撮影メニューＤにおける拡張項目設定情報３１１の設定（Ｓ・１／１０００・＊）となる。
【００３７】
第２実施形態の構成では、使用途中において拡張項目設定情報３１１を切り換えた際には、露出設定はその切り換え時点において適用されていた情報がそのまま継続適用される。
これにより、撮影状況に応じて撮影メニューを切り換えた際にも、その時点における露出設定を継続することができる。従って、撮影メニューを切り換えた際に露出設定が現状と対応せずに設定変更を要するといったことがなく、適切な撮影メニューによる適正露出によって、シャッターチャンスを逃すことのない迅速な撮影が可能となる。
【００３８】
以上、本実施形態によると、以下の効果を有する。
（１）電子カメラ１０は、複数設定された中から任意に選択可能である撮影メニューに、標準項目設定情報３１０と拡張項目設定情報３１１との二つの領域を備え、拡張項目設定情報３１１の適用をＯＮ／ＯＦＦすることが可能となっている。これにより、撮影メニューの切り換えに伴って、撮影メニューが想定する撮影状況に応じたより詳細な設定を同時に切り換えることができ、また、不要な場合にはＯＦＦとしておくことができる。つまり、撮影メニューの切り換えによって撮影状況により一層詳細に対応した設定ができ、迅速な撮影が可能となる。
【００３９】
（２）電子カメラ１０は、拡張項目設定情報３１１として露出情報を設定することで、撮影メニューの切り換えに伴って露出設定も同時に切り換えることができる。これにより、撮影状況の変化に応じて撮影メニューの切り換えた際に、露出設定の変更操作を要することなく迅速な撮影が可能となる。
【００４０】
（３）第２実施形態における電子カメラ１０では、使用途中において標準モードと拡張モードとを切り換えた場合、それまで適用していた露出設定を継続する。これにより、撮影状況に応じて撮影メニューを切り換えた際にも、その時点における露出設定を継続することができる。従って、撮影メニューを切り換えた際に露出設定が現状と対応せずに設定変更を要するといったことがなく、適切な撮影メニューによる適正露出によって、シャッターチャンスを逃すことのない迅速な撮影が可能となる。
【００４１】
（変形形態）
以上、説明した実施形態に限定されることなく、以下に示すような種々の変形や変更が可能であり、それらも本発明の範囲内である。
（１）本実施形態では、撮影メニューにおける標準項目設定情報３１０に主に画像処理に係る設定項目を、拡張項目設定情報３１１に露出情報を設定した。しかし、標準項目設定情報３１０および拡張項目設定情報３１１に設定する項目は、これに限らず適宜設定可能である。
【００４２】
（２）本実施形態では、拡張項目設定情報３１１には露出情報のみ設定したが、これに限定されず、例えばオートフォーカスの場合におけるフォーカスポイントやフォーカスモード等のフォーカスに関する情報であってもよい。さらに、たとえば、露出補正（プログラムシフト）、フラッシュモード、測光モード等を設定するように構成しても良い。
【００４３】
（３）本実施形態では、拡張項目設定情報３１１の項目は予め設定されている例を示したが、項目を使用者が任意に設定（カスタム設定）できるように構成しても良い。
なお、実施形態及び変形形態は、適宜組み合わせて用いることもできるが、詳細な説明は省略する。また、本発明は以上説明した実施形態によって限定されることはない。
【符号の説明】
【００４４】
１０：電子カメラ、１１：撮像部、１２：操作部、１３：表示部、２０：制御部、２１：設定制御部、２２：メニュー選択部、２３：拡張切換部、３０：設定記憶部、３１（３１Ａ，３１Ｂ，３１Ｃ，３１Ｄ）：撮影メニュー、３１０：標準項目設定情報、３１１：拡張項目設定情報、３２：共通拡張項目設定情報
【図１】
2011082827.tif 000003
【図２】
2011082827.tif 000004
【図３】
2011082827.tif 000005
【図４】
2011082827.tif 000006
【図５】
2011082827.tif 000007
【図６】
2011082827.tif 000008
【図７】
2011082827.tif 000009
【図８】
2011082827.tif 000010
【図９】
2011082827.tif 000011
【図１０】
2011082827.tif 000012
【図１１】
2011082827.tif 000013